(57)【要約】【課題】折り畳んだ状態で基部と灯具とが離脱することを防止して、持ち運びに便利な照明装置を提供する。【解決手段】光源を有する灯具３と、この灯具３が取り付けられる腕部４と、設置面上に設置可能な基部５とを有し、前記灯具３と基部５とを隣接状態として折り畳み可能な照明装置１において、照明装置１に、前記灯具３と基部５とを隣接状態で固定可能なロック機構を設けたことにより、折り畳んだ状態で隣接する灯具３と基部５とが離脱することで、前記灯具３と腕部４と基部５が不用意に展開するのを防止することができる。【選択図】図１
2014146581.tif 000002
【特許請求の範囲】
【請求項１】
光源を有する灯具と、
前記灯具が取り付けられる腕部と、
設置面上に設置可能な基部とを有し、
前記灯具と前記基部とを隣接状態として折り畳み可能な照明装置において、
前記照明装置には、前記灯具と前記基部とを隣接状態で固定可能なロック機構を設けたことを特徴とする照明装置。
【請求項２】
前記ロック機構が、前記灯具と前記基部とを隣接させた状態で、
前記灯具と前記基部との対向する端部同士を連結可能に構成したことを特徴とする請求項１に記載の照明装置。
【請求項３】
前記ロック機構が、
前記灯具及び前記基部のいずれか一方に設けた係合片と、
前記灯具及び前記基部のいずれか他方で前記係合片を受ける係合片受部と、
前記係合片を操作する係合片操作部とによって構成され、
前記係合片が前記係合片操作部と連動可能に設けられることを特徴とする請求項２に記載の照明装置。
【請求項４】
前記光源を点灯する第一点灯操作部と、
前記第一点灯操作部による前記光源の点灯を規制する第二点灯操作部とを備え、
前記第二点灯操作部が前記ロック機構と連動可能に設けられることを特徴とする請求項１〜３のいずれか１項に記載の照明装置。
【発明の詳細な説明】
【技術分野】
【０００１】
本発明は、折り畳んでコンパクトに収納可能な照明装置に関するものである。
【背景技術】
【０００２】
従来、この種の照明装置としては、基部に腕部を回動自在に取り付け、腕部の先端に光源を装備した灯具を回動自在に取り付けたものがあり、腕部を回動させて灯具及び腕部を基部に隣接状態に折り畳んで収納しているものが知られている（例えば、特許文献１参照。）。
【先行技術文献】
【特許文献】
【０００３】
【特許文献１】特開平４−１５５７０４号公報
【発明の開示】
【発明が解決しようとする課題】
【０００４】
しかしながら、このような照明装置は、折り畳んだ収納状態では近接する基部と灯具とが固定されておらず、収納状態で持ち運ぶ際に基部と灯具とが不用意に離脱してしまう虞があった。
【０００５】
本発明は以上の問題点を解決し、折り畳んだ状態で基部と灯具とが離脱することを防止して、持ち運びに便利な照明装置を提供することを目的とする。
【課題を解決するための手段】
【０００６】
本発明の請求項１に記載の照明装置は、光源を有する灯具と、前記灯具が取り付けられる腕部と、設置面上に設置可能な基部とを有し、前記灯具と前記基部とを隣接状態として折り畳み可能な照明装置において、前記照明装置には、前記灯具と前記基部とを隣接状態で固定可能なロック機構を設けたことを特徴とする。
【０００７】
本発明の請求項２に記載の照明装置は、前記ロック機構が、前記灯具と前記基部とを隣接させた状態で、前記灯具と前記基部との対向する端部同士を連結可能に構成したことを特徴とする。
【０００８】
本発明の請求項３に記載の照明装置は、前記ロック機構が、前記灯具及び前記基部のいずれか一方に設けた係合片と、前記灯具及び前記基部のいずれか他方で前記係合片を受ける係合片受部と、前記係合片を操作する係合片操作部とによって構成され、前記係合片が前記係合片操作部と連動可能に設けられることを特徴とする。
【０００９】
本発明の請求項４に記載の照明装置は、前記光源を点灯する第一点灯操作部と、前記第一点灯操作部による前記光源の点灯を規制する第二点灯操作部とを備え、前記第二点灯操作部が前記ロック機構と連動可能に設けられることを特徴とする。
【発明の効果】
【００１０】
本発明の請求項１に記載の照明装置は、折り畳んだ状態で隣接する灯具と基部とが離脱することで、前記灯具と腕部と基部が不用意に展開するのを防止することができる。
【００１１】
本発明の請求項２に記載の照明装置は、灯具と基部との対向する端部同士を連結することで、折り畳んだ状態の照明装置の形状をコンパクトにすることができる。
【００１２】
本発明の請求項３に記載の照明装置は、係合片と係合片操作部を連動可能に設けることで、係合片と係合片受部とを係合させるロック機構の構造をコンパクトにすると共に、ロック機構の操作性を向上させることができる。
【００１３】
本発明の請求項４に記載の照明装置は、灯具と基部とが隣接状態に折り畳まれ、ロック機構により灯具と基部とが固定された状態において、誤って光源を点灯させてしまう誤操作を防止することができる。
【図面の簡単な説明】
【００１４】
【図１】本発明の照明装置の収納状態を示す斜視図である。
【図２】同、ロック機構が係合位置にある収納状態を示す照明装置の平面図である。
【図３】同、ロック機構が係合位置にある収納状態を示す照明装置の底面図である。
【図４】同、ロック機構が係合位置にある収納状態を示す照明装置の正面図である。
【図５】同、図２のＡ−Ａ断面図である。
【図６】同、図４のＢ−Ｂ断面図である。
【図７】同、ロック機構が係合位置にある収納状態を示す照明装置のロック機構の要部斜視図である。
【図８】同、ロック機構が係合解除位置にある収納状態を示す照明装置の平面図である。
【図９】同、ロック機構が係合解除位置にある収納状態を示す照明装置の正面図である。
【図１０】同、図８のＡ−Ａ断面図である。
【図１１】同、図８のＣ−Ｃ断面図である。
【図１２】同、図９のＢ−Ｂ断面図である。
【図１３】同、照明装置を展開した状態を示す斜視図である。
【図１４】同、図１３の姿勢とした照明装置の正面図である。
【図１５】同、図１３から光源の向きを変更した状態を示す斜視図である。
【図１６】同、図１５の姿勢とした照明装置の正面図である。
【図１７】同、照明装置を図１３とは異なる形態に展開した状態を示す斜視図である。
【図１８】同、図１７の姿勢とした照明装置の正面図である。
【図１９】同、照明装置における灯具と基部との対向する端部の変形例を示す要部正面図である。
【図２０】同、照明装置のロック機構の変形例を示す要部断面図である。
【図２１】同、照明装置のロック機構の別の変形例を示す要部断面図である。
【図２２】同、照明装置のロック機構の更に別の変形例を示す要部断面図である。
【発明を実施するための最良の形態】
【００１５】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１６】
以下、本発明の一実施例について、図１乃至図２２に基づいて説明する。本実施例の照明装置１は、光源２を有する灯具３と、一方がこの灯具３に取り付けられた腕部４と、この腕部４の他方が取り付けられると共に、設置面Ｓ上に設置可能な基部５とを備えている。
【００１７】
前記灯具３は、前記光源２を備えた側である灯具本体６と、腕部４の一方に取り付けられた側である灯具支持部７とを第一回動軸部８を介して相対的に回動自在に連結した二分割構造を有している。
【００１８】
前記灯具本体６は、プラスチック製の薄型箱状に形成された灯具本体ケース９に、前記光源２と、この光源２が実装された基板１０と、この基板１０の放熱を行うアルミニウム製の板材からなる放熱板１１とが内蔵されており、前記灯具本体ケース９内部の前記光源２の周囲には、反射板１２が設置される。また、前記灯具本体ケース９の底面部には、前記光源２を前記灯具本体ケース９の外部に露出させる第一開口部１３が形成されており、この第一開口部１３に、透明又は半透明な板材からなる窓部材１４が嵌め込まれている。
【００１９】
前記灯具支持部７は、プラスチック製の薄型箱状に形成された灯具支持部ケース１５を備えている。この灯具支持部ケース１５は、この灯具支持部ケース１５の先端部に形成された第一貫通部１６と、前記灯具本体ケース９の基端部に形成された第二貫通部１７とを連通する前記第一回動軸部８を介して、前記灯具３の左右方向（図１におけるＸ方向）を回動軸方向として、前記灯具本体ケース９と相対的に回動自在に連結されている。
【００２０】
前記腕部４は、アルミニウム等の金属製の中空棒状部材から形成されている。そして、前記腕部４の一側には、第一連結部材１８を備えると共に、前記腕部４の他側には、第二連結部材１９を備えている。前記第一連結部材１８は、鉄等の金属製の中空部材であり、略Ｌ型に形成されている。同様に、前記第二連結部材１９も、鉄等の金属製の中空部材であり、略Ｌ型に形成されている。
【００２１】
前記基部５は、プラスチック製の薄型箱状に形成された基部ケース２０を備えている。そして、この基部ケース２０には、前記基部５の左右方向（図１におけるＺ方向）に鉄製のおもり２１、スイッチ基板２２、光源２の電源としての充電池２３の順に内蔵されている。そして、前記基部ケース２０の上面部に形成された第二開口部２４には、前記スイッチ基板２２に実装された押しボタン式のスイッチ２５Ａを含む第一点灯操作部２５を露出可能に備えている。また、前記スイッチ基板２２には、前記第一点灯操作部２５の操作による前記光源２の点灯を規制するための、マイクロスイッチからなる第二点灯操作部２６が実装されている。
【００２２】
なお、前述した通り、前記腕部４の一側には、Ｌ型の前記第一連結部材１８の一側が取り付けられている。一方、Ｌ型の前記第一連結部材１８の他側は、前記灯具支持部ケース１５の背面右側に形成された第三貫通部２７に挿通された状態で、前記灯具支持部ケース１５内に設けられた第二回動軸部２９に固定されている。そして、この第二回動軸部２９は、第一軸受部２８によって、前記灯具３の前後方向（図１におけるＹ方向）を回動軸方向として枢設されている。そして、前記第二回動軸部２９と第一軸受部２８によって、前記灯具３は、前記腕部４に対し相対的に回動自在に接続されている。
【００２３】
また、前述した通り、前記腕部４の他側には、Ｌ型の前記第二連結部材１９の一側が取り付けられている。一方、Ｌ型の前記第二連結部材１９の他側は、前記基部ケース２０の背面左側に形成された第四貫通部３０に挿通された状態で、前記基部ケース２０内に設けられた第三回動軸部３２に固定されている。そして、この第三回動軸部３２は、第二軸受部３１によって、前記基部ケース２０の前後方向（図１におけるＹ方向）を回動軸方向として枢設されている。そして、前記第三回動軸部３２と第二軸受部３１によって、前記基部５は、前記腕部４に対し相対的に回動自在に接続されている。
【００２４】
ここで、前記灯具３の左右方向の長さＬ１と、前記基部５の左右方向の長さＬ２とを合わせた長さは、前記腕部４の長さＬ３と略等しくなっている（Ｌ１＋Ｌ２≒Ｌ３）。また、前記灯具本体ケース９の先端部と、前記基部ケース２０の先端部とを対向させて、前記灯具３と基部５とを折り畳んだ状態にすると、これら灯具３と基部５は隣接した状態となる。即ち、この状態では、前記灯具３の先端部と基部５の先端部との間には、僅かな間隔が形成されるだけである。従って、前記灯具３、腕部４及び基部５は、共に一体的な略角板形状として収納可能に構成されている。
【００２５】
ここで、本実施例の特徴的な部分である、前記灯具３と基部５とを隣接状態で固定可能なロック機構３３について説明する。このロック機構３３は、前記基部ケース２０の先端部に出し入れ自在に設けた係合片３４と、前記灯具本体ケース９の先端部に前記係合片３４を係合可能に設けた係合片受部３５と、前記基部ケース２０の正面部側にて前記係合片３４を操作可能に設けた係合片操作部３６とを有している。
【００２６】
前記係合片３４は、前記基部ケース２０の先端部の前側に形成された第三開口部３７を介して、前記基部ケース２０のＺ方向に沿って出没可能に設けられる。なお、前記係合片３４は、鉄等の強度の高い金属製の板材からなる。
【００２７】
前記係合片受部３５は、前記灯具本体ケース９の先端部の前側に形成され、前記灯具３のＸ方向に沿って、前記係合片３４の先端部分を所定深さまで挿入可能な深さに形成された凹部からなる。
【００２８】
前記係合片操作部３６は、プラスチック製の板材からなり、スライド部材３８及び摘み部４０を有する。前記スライド部材３８は、前記基部ケース２０の前面部の内面に沿って、この基部ケース２０のＺ方向にスライド自在に構成されている。また、前記摘み部４０は、前記スライド部材３８と一体的に形成されている。なお、前記摘み部４０は、前記基部ケース２０の正面部の右側をＺ方向に切り欠いた切溝部３９より露出している。
【００２９】
ここで、前記係合片３４と前記係合片操作部３６のスライド部材３８は、このスライド部材３８と一体的に形成されたプラスチック製のカバー部材４１によって連結されている。このカバー部材４１は、上部と先端面を開放し、前記係合片３４の底面部基端側部分、正面部基端側部分、背面部基端側部分及び基端部とを被覆可能に形成されている。なお、前記係合片３４とカバー部材４１は、螺子部材等の固定手段（図示せず）によって固定されているものとする。ここで、前記カバー部材４１の基端部は、前記スイッチ基板２２の前部右側に実装された第二点灯操作部２６の、右向きに設置された被押圧子４２を押圧可能に構成されている。
【００３０】
また、前記係合片３４とカバー部材４１を貫通して、長手方向の向きが前記基部ケース２０のＺ方向と平行となるように、長孔状のスライド孔４３が形成されている。そして、このスライド孔４３には、前記基部ケース２０の上面部と底面部とを連結する円筒状のボス４４が挿通されている。なお、このボス４４は、前記係合片３４のスライド動作を規制するガイド機能も備えている。
【００３１】
そして、前記ロック機構３３における前記係合片３４、係合片操作部３６及びカバー部材４１は、Ｚ方向に沿って、前記スライド孔４３の基端側が前記ボス４４に当接するまで右側にスライドされる係合位置（図２〜図７参照）と、前記スライド孔４３の先端側が前記ボス４４に当接するまで左側にスライドされる係合解除位置（図８〜図１２参照）との間でスライド自在に設けられている。なお、前記カバー部材４１が係合位置にある場合、前記係合片３４の先端側が前記基部ケース２０の右側面部より右側へ突出する。また、前記カバー部材４１が係合位置にある場合、このカバー部材４１の基端部は、前記第二点灯操作部２６の被押圧子４２から離間する。一方、前記カバー部材４１が係合解除位置にある場合、前記係合片３４の先端側が前記基部ケース２０内に収納される。また、前記カバー部材４１が係合解除位置にある場合、このカバー部材４１の基端部は、前記第二点灯操作部２６の被押圧子４２をＺ方向の左側へ押圧する。
【００３２】
ここで、図中の符号４５は、前記充電池２３に電力を供給するための図示しないアダプターを装着する端子孔であり、符号４６は、前記充電池２３の充電状態をランプの点灯で報知する報知手段である。また図示しないが、腕部４には、前記基部５内の充電池２３およびスイッチ基板２２と、前記灯具３内の基板１０とを電気的に接続する配線が内蔵されているものとする。
【００３３】
本実施例は、前記第一点灯操作部２５を押す毎に、ＯＦＦ、強い光、中程度の明るさの光、弱い光、ＯＦＦの順に光源２の明るさを三段階に調整可能な調光機能を有するＬＥＤ照明としているが、光源２の種類としてはこれに限られるものではなく、白熱灯、蛍光灯、有機ＥＬ照明等としてもよい。
【００３４】
次に、上記構成の照明装置１の作用効果について説明する。図２〜図７に示すように、前記ロック機構３３の係合片３４が係合位置にある場合、即ち、前記係合片３４がＺ方向に沿って右側に突出した場合、照明装置１は、前記係合片３４の先端部が前記係合片受部３５に挿入することによって両者が係合し、隣接する前記灯具３と基部５とが連結されて収納状態となる。そして、このように、前記灯具３と基部５を連結させることで、前記灯具３及び基部５は、それぞれ前記腕部４の第二回動軸部２９及び第三回動軸部３２に対して回動不能となっている。また、前記ロック機構３３の係合片３４が係合位置にある場合、前記カバー部材４１の基端部と第二点灯操作部２６の被押圧子４２が離間して、この被押圧子４２の押圧状態が解除されている。これによって、前記第一点灯操作部２５を操作しても、前記光源２に電力が供給されないようにして、点灯不能とすることができる。
【００３５】
次に、図２〜図７に示す状態から、前記ロック機構３３の係合片操作部３６の摘み部４０をＺ方向に沿って左側にスライドさせて、図８〜図１２に示すような係合解除位置までロック機構３３を操作する。この際、前記係合片３４の先端部が前記係合片受部３５から外れて前記基部ケース２０内に収納されることで、前記係合片３４と係合片受部３５の係合状態が解除される。そして、隣接する前記灯具３と基部５との固定状態が解除されることで、前記灯具３及び基部５は、それぞれ前記腕部４の第二回動軸部２９及び第三回動軸部３２に対して回動可能となっている。また、前記ロック機構３３の係合片３４が係合解除位置にある場合、前記カバー部材４１の基端部によって前記第二点灯操作部２６の被押圧子４２が押圧されている。これによって、前記第一点灯操作部２５を操作することで、前記光源２に電力が供給されるようにして、点灯可能とすることができる。
【００３６】
図８〜図１２に示すように、前記係合片３４と係合片受部３５の係合が解除された状態の前記照明装置１は、図１３及び図１４に示すように、前記腕部４を前記基部５に対して前記第三回動軸部３２回りに回動させて起立させ、前記灯具３を前記腕部４に対して前記第二回動軸部２９回りに回動させて、前記光源２の向きを、前記基部５が設置された設置面Ｓと対向させることができる。この際、前記照明装置１は、前記灯具３、腕部４、基部５を略Ｚ型状または略クランク状に展開させることになる。
【００３７】
また、図１３及び図１４の状態から、前記灯具本体６を前記灯具支持部７に対して前記第一回動軸部８回りに回動させて、図１５及び図１６に示すように、前記光源２の向きを設置面Ｓに対し任意の角度に設定して使用することも可能である。
【００３８】
更に、図１３及び図１４の状態から、前記灯具３を前記腕部４に対して前記第二回動軸部２９回りに逆方向に回動させた後、前記灯具本体６を前記灯具支持部７に対して前記第一回動軸部８回りに１８０度回動させて、図１７及び図１８に示すように、前記光源２の向きを、前記基部５が設置された設置面Ｓと対向させることができる。この際、前記照明装置１は、前記灯具３、腕部４、基部５を略コ型状に展開させることになる。
【００３９】
以上のように、光源２を有する灯具３と、灯具３が取り付けられる腕部４と、設置面Ｓ上に設置可能な基部５とを有し、灯具３と基部５とを隣接状態として折り畳み可能な照明装置１において、照明装置１に、灯具３と基部５とを隣接状態で固定可能なロック機構３３を設けたことにより、折り畳んだ状態で隣接する灯具３と基部５とが離脱することで前記灯具３と腕部４と基部５が不用意に展開するのを防止することができる。
【００４０】
また、前記ロック機構３３が、前記灯具３と基部５とを隣接させた状態で、前記灯具３と基部５との対向する端部同士である灯具本体ケース９の先端部と基部ケース２０の先端部を連結可能に構成したことにより、折り畳んだ状態の前記照明装置１の形状をコンパクトにすることができる。
【００４１】
更に、前記ロック機構３３が、前記基部５に設けた係合片３４と、前記灯具３で前記係合片３４を受ける係合片受部３５と、前記係合片３４を操作する係合片操作部３６とによって構成され、前記係合片３４が前記係合片操作部３６と連動可能に設けられることにより、前記係合片３４と係合片受部３５とを係合させる前記ロック機構３３の構造をコンパクトにするとともに、このロック機構３３の操作性を向上させることができる。
【００４２】
また、前記光源２を点灯させる第一点灯操作部２５と、この第一点灯操作部２５による前記光源２の点灯を規制する第二点灯操作部２６とを備え、この第二点灯操作部２６が前記ロック機構３３と連動可能に設けられることにより、前記灯具３と基部５とが隣接状態に折り畳まれ、前記ロック機構３３により前記灯具３と基部５とが固定された状態において、誤って前記光源２を点灯させてしまう誤操作を防止することができる。
【００４３】
更に、前記係合片３４が前記基部ケース２０から突出する係合位置では、カバー部材４１の基端部と前記第二点灯操作部２６の被押圧子４２が離間して、前記第一点灯操作部２５への通電が遮断され、前記係合片３４が前記基部ケース２０へ収容される係合解除位置では、カバー部材４１の基端部によって前記第二点灯操作部２６の被押圧子４２が押圧されるため、前記第二点灯操作部２５によって、前記係合片３４が前記基部ケース２０から出し入れされる動きを確実に検知することができる。
【００４４】
なお、本発明は上述した実施例に限定されるものではなく、本発明の要旨の範囲内において、種々の変形実施が可能である。例えば、本実施例の照明装置１は、収納状態では、灯具３と基部５とが隣接したものであるが、図１９に示すように、灯具本体ケース９の上面部先端側から左側又は基部ケース２０の上面部先端側から右側へと突設された突片部４７を備え、前記灯具本体ケース９の先端部と前記基部ケース２０の先端部とを対向させて、前記灯具３と基部５とを隣接させて収納状態とした場合に、前記突片部４７を前記基部ケース２０の上面部又は前記灯具本体ケース９の上面部に配置して、前記灯具本体ケース９と基部ケース２０とが重なり合う構造としてもよいものとする。また、ロック機構３３の変形例としては、図２０に示すように、灯具本体ケース９の先端部又は基部ケース２０の先端部の何れか一方に凸部４８を設け、前記灯具本体ケース９の先端部又は前記基部ケース２０の先端部の何れか他方に、前記凸部４８を乗り越えて係合可能な凹部４９を設けたものでもよいものとする。また、本実施例では、カバー部材４１の基端部にて第二点灯操作部２６の被押圧子４２を押圧しているが、図２１に示すように、スライド部材３８に突設した凸部５０によって前記被押圧子４２を押圧するものでもよいものとする。更に、図２２に示すように、第二点灯操作部２６の被押圧子４２を横向きに設置し、カバー部材４１の基端部と背面部とのコーナー部分に傾斜部５１を設け、前記カバー部材４１のスライド動作によって、前記傾斜部５１にて前記被押圧子４２を押圧するものとしてもよいものとする。また、第二点灯操作部２６を係合片受部３５に配置して、この係合片受部３５に係合した係合片３４の先端部分によって、被押圧子４２を押圧可能な構造として、この被押圧子４２が押圧されている間は、第一点灯操作部２５を操作しても光源２の点灯を不能とし、前記被押圧子４２の押圧状態が解除されると、前記第一点灯操作部２５の操作によって前記光源２の点灯を可能とするものでもよいものとする。この構成では、前記被押圧子４２によって前記係合片３４が係合片受部３５と確実に係合しているか検知することができる。更に、係合片３４及び係合片操作部３６を灯具３側に設けるとともに、係合片受部３５を基部５側に設けてもよいものとする。更にまた、上記実施例では、第二点灯操作部２６を電気的な素子としたが、前記ロック機構３３の係合片３４が係合位置にある場合に、前記第一点灯操作部２５の操作を機械的に阻止する構造物であってもよいものとする。
【符号の説明】
【００４５】
１  照明装置
２  光源
３  灯具
４  腕部
５  基部
２５  第一点灯操作部
２６  第二点灯操作部
３３  ロック機構
３４  係合片
３５  係合片受部
３６  係合片操作部
【図１】
2014146581.tif 000003
【図２】
2014146581.tif 000004
【図３】
2014146581.tif 000005
【図４】
2014146581.tif 000006
【図５】
2014146581.tif 000007
【図６】
2014146581.tif 000008
【図７】
2014146581.tif 000009
【図８】
2014146581.tif 000010
【図９】
2014146581.tif 000011
【図１０】
2014146581.tif 000012
【図１１】
2014146581.tif 000013
【図１２】
2014146581.tif 000014
【図１３】
2014146581.tif 000015
【図１４】
2014146581.tif 000016
【図１５】
2014146581.tif 000017
【図１６】
2014146581.tif 000018
【図１７】
2014146581.tif 000019
【図１８】
2014146581.tif 000020
【図１９】
2014146581.tif 000021
【図２０】
2014146581.tif 000022
【図２１】
2014146581.tif 000023
【図２２】
2014146581.tif 000024